(57)【要約】本発明は薄型電池の製造に関する。速くて簡単な製造プロセスを達成するために、この方法は次の工程を含む：互いの上に付与される複数の材料層からなるアノードの半電池を含むアノードウェブを使用に供すること（工程Ａ、Ｂ、Ｃ、Ｄ、Ｅ）、ここで、それらの材料層は薄型電池において用いるために相互に整列され、そして薄型電池において用いるための寸法にされる；互いの上に付与される複数の材料層からなるカソードの半電池を含むカソードウェブを使用に供すること（工程Ｆ、Ｇ、Ｈ、Ｉ、Ｊ）、ここで、それらの材料層は薄型電池において用いるために相互に整列され、そして薄型電池において用いるための寸法にされる；前記アノードウェブと前記カソードウェブを相互に所定の位置に整列させること；および、前記アノードウェブと前記カソードウェブを互いに接触させること（工程Ｋ）、これにより前記アノードの半電池は対応するカソードの半電池に接合されて、薄型電池が製造される。【選択図】図３
2012531023.tif 000002
【特許請求の範囲】
【請求項１】
薄型電池を製造する方法であって、前記方法は、
互いの上に付与される複数の材料層（１、３、４、５）からなるアノードを含むアノードウェブを使用に供すること、ここで、それらの材料層は薄型電池において用いるために相互に整列され、そして薄型電池において用いるための寸法にされる、
互いの上に付与される複数の材料層（２、６、７、８、９）からなるカソード集電器を含むカソードウェブを使用に供すること（工程Ｆ、Ｇ、Ｈ、Ｉ、Ｊ）、ここで、それらの材料層は薄型電池において用いるために相互に整列され、そして薄型電池において用いるための寸法にされる、
前記アノードウェブと前記カソードウェブを相互に所定の位置に整列させること
前記アノードウェブと前記カソードウェブを互いに接触させること（工程Ｋ）、および
前記接触させることに対応して、薄型電池を製造するために前記アノードを対応するカソード集電器に接合させること、
を含むことを特徴とする方法。
【請求項２】
前記アノードウェブを使用に供することは、
第一のセパレーター層（５）の第一の側面（１３）の上に接着性剥離剤を付与すること（工程Ａ、Ｂ）、このとき、前記接着性剥離剤はアノードのために残しておく領域の上には付与されない、
前記第一のセパレーター層（５）の前記第一の側面（１３）の上にアノード材（４）を付与し、それにより前記のアノードのために残しておく領域を覆うこと、
前記第一のセパレーター層（５）の上に第一のカバー層（１）と接着剤層（３）を相互に整列させて配置し、それにより前記アノード材（４）と前記接着性剥離剤のそれぞれを前記カバー層（１）と前記第一のセパレーター層（５）の間に配置させること（工程Ｃ）、
前記第一のセパレーター層（５）の第二の側面（１４）から第一のセパレーター層（５）に切除部分（１５）を設けること（工程Ｄ）、このとき、切除部分（１５）は少なくとも前記第一のセパレーター層（５）を貫通するが、しかしそれは接着剤層（３）に達するほどには深くはなく、前記切除部分（１５）により、前記アノード材（４）を含むアノードは第一のセパレーター層（５）の廃棄部分（４６）との境界が画定される、および
第一のセパレーター層（５）の前記廃棄部分（４６）を除去すること（工程Ｅ）、
を含むことを特徴とする、請求項１に記載の方法。
【請求項３】
前記接着性剥離剤と前記アノード材（４）のうちの少なくとも一つは、印刷すること（２０、２２）によって付与されることを特徴とする、請求項２に記載の方法。
【請求項４】
前記方法は、前記第一のカバー層（１）に端子孔（１０、１１）を切り抜くこと（２４）を含むことを特徴とする、請求項１から３のいずれか一つに記載の方法。
【請求項５】
前記のアノードウェブを使用に供することは、
前記アノードウェブを剥離用ライナーと接触させ、それにより前記第一のカバー層（１）の上にある前記接着剤層（３）を剥離用ライナーが覆うようにすること、
アノードウェブをロール（３１）上に一時的に巻き上げること、
続いて、前記アノードウェブを前記ロール（３１）から引き出すこと、および
前記第一のカバー層（１）の上にある前記接着剤層（３）から前記剥離用ライナーを除去すること（４０、４１）、
を含むことを特徴とする、請求項２から４のいずれか一つに記載の方法。
【請求項６】
前記のカソードウェブを使用に供することは、
第二のカバー層（２）の第一の側面（１６）に、カソードのために用意された領域においてカソード集電材（９）を付与すること（工程Ｆ）、
前記カソード集電材（９）の上にカソード材（８）を付与すること（工程Ｇ）、
第二のセパレーター層（７）の第一の側面（１７）の所定の電解結合材領域（６）に電解結合材（６）を付与すること（工程Ｈ）、
前記第二のカバー層（２）と前記第二のセパレーター層（７）を互いの上で相互に決められた位置になるように整列させること（工程Ｉ）、このとき、第二のカバー層（２）の前記第一の側面（１６）が第二のセパレーター層（７）の第二の側面（１８）に面し、そしてカソード材（８）（これは電解結合材（６）の領域と一致する位置に配置されるが、しかし、電解結合材（６）の領域と比べて第二のセパレーター層（７）の反対側に配置される）は、前記第二のカバー層（２）と前記第二のセパレーター層（７）を互いに接合させる、
前記カソード材（８）と前記電解結合材（６）の間で、前記カソード集電材（９）、前記カソード材（８）、前記電解結合材（６）および前記第二のセパレーター層（７）を含むカソードの範囲を定めるために、前記第二のセパレーター層（７）の前記第一の側面（１７）から前記第二のセパレーター層（７）を貫いて切除部分を形成すること（工程Ｊ）、このとき、切除部分は第二のセパレーター層（７）に達して貫通するほど実質的に深くはない、および
前記切除部分によって範囲が定められたカソードの部分ではない第二のセパレーター層（７）の廃棄部分（４８）を除去すること（工程Ｋ）、
を含むことを特徴とする、請求項１から５のいずれか一つに記載の方法。
【請求項７】
少なくとも前記カソード集電材（９）、前記カソード材（８）または前記電解結合材（６）は、印刷すること（３３、３５、３７）によって付与されることを特徴とする、請求項６に記載の方法。
【請求項８】
前記電解結合材の領域およびその上に付与される電解結合材（６）は、第一および第二のセパレーター層（５、７）の各々の表面積よりも小さな表面積を有することを特徴とする、請求項６または７に記載の方法。
【請求項９】
前記切除部分を形成することは、支持体（２８）から距離をもって突き出るように配置されたプレート（２９）を使用することを含み、その距離は切除部分が形成される材料層（５、７）の厚さよりもわずかに大きく、そして前記プレート（２９）と支持体（２８）を、支持体（２８）が前記材料層（５、７）と接触するまで、切除部分が形成される材料層（５、７）に向けて押し込むことを含むことを特徴とする、請求項２から８のいずれか一つに記載の方法。
【請求項１０】
前記第一および第二のカバー層（１、２）と前記第一および第二のセパレーター層（５、７）は、それぞれのロールから巻き出されることを特徴とする、請求項１から９のいずれか一つに記載の方法。
【請求項１１】
互いに接合される前記アノードウェブとカソードウェブはロール（４４）の上に巻き戻されることを特徴とする、請求項１から１０のいずれか一つに記載の方法。
【請求項１２】
請求項１から１１のいずれか一つに記載の方法に従って製造された薄型電池。
【請求項１３】
請求項１から１１のいずれか一つに記載の方法に従って薄型電池を製造するための装置。
【発明の詳細な説明】
【技術分野】
【０００１】
本発明は薄型電池の製造に関し、言い換えれば、電池の性能に影響を及ぼすことなくある程度曲げることのできる薄くて可撓性の電池に関する。
【背景技術】
【０００２】
薄型電池は、材料層（material layers）が相互に所定の位置に整列されるように、互いの上に配置された多数の材料層を有する。薄型電池の内部での一つの層から別の層への電気の短絡（short-cuts）を避けるために、電池の各層は意図された位置に配置されることが重要である。材料層を所定の意図された位置に相互に整列させることの他の理由は、電池の性能の均一性を保証するためと、薄型電池の一様な外観を保証するためである。
【０００３】
従来、電池の各層を所定の形状と寸法に切断する、薄型電池の製造方法がある。切断する工程の後、各断片は薄型電池の内部の所望の位置に配置され、そして電池の各層は互いに接合される。
【０００４】
上述の製造方法には幾つかの問題があり、従って、現在の製造プロセスは複雑で時間がかかるものである。
第一の問題は、各層を所望の位置に相互に整列させるのは困難だということである。実際に、整列されて組立てられる断片の寸法は小さく、各断片を電池の内部で正確な位置に配置するのは困難である。
【０００５】
第二の問題は、これらの別個の部分からなる小さな断片を所定の位置に適切な費用効率で正確に運ぶことをいかにして行うか、ということである。
第三に、材料層を所定の意図された位置に相互に整列させる工程において多くの問題が存在するので、電池の性能の均一性と薄型電池の外観の一様さは現在は保証されていない。
【発明の概要】
【発明が解決しようとする課題】
【０００６】
本発明の目的は、上述の問題を解決し、従来技術の対処法よりも複雑でなく、かつ効率的な薄型電池を製造する方法を提供することである。本発明はまた、そのような方法で製造された薄型電池に関する。
【課題を解決するための手段】
【０００７】
本発明の目的は、独立形式の請求項１の方法、独立形式の請求項１２の薄型電池、および独立形式の請求項１３の装置によって達成される。
本発明においては、薄型電池を製造するために、アノード（負極）の半電池を含むアノードウェブ（web：薄い帯状の板材）とカソード（正極）の半電池を含むカソードウェブが用いられる。薄型電池を製造するために、これら二つのウェブは整列させることができて、そして互いに接合される。さらに、薄型電池のそれぞれの部分、すなわち薄型電池のアノードとカソード（すなわちアノードの半電池とカソードの半電池）を伴う二つのウェブを作製するために、それぞれのウェブに材料層を付与することによって、これらのウェブの両者を個々に作製することができる。このように作製することによって、必要な層をそれぞれのウェブに直接付与することができて、そして後でウェブに接合されるとともに所望の形状に切断することができるので、個々の断片を互いに整列させる必要性を回避することが可能になる。これにより、製造工程が単純になり、一つの薄型電池を製造するのに要する時間が短縮される。
【０００８】
本発明の好ましい態様は、従属形式の請求項に開示されている。
【図面の簡単な説明】
【０００９】
以下において、例として、そして添付図面を参照して、本発明を詳細に記述する。
【図１】図１は、薄型電池の材料層を例示する。
【図２】図２は、薄型電池の材料層を例示する。
【図３】図３は、薄型電池の製造方法を説明する分解組み立て図を示す。
【図４】図４は、アノードを伴うウェブの製造を説明するウェブラインを示す。
【図５】図５は、カソードの半電池の製造を説明するウェブラインを示す。
【図６】図６は、アノードとカソードを貼り合せるための工程を説明するウェブラインを示す。
【発明を実施するための形態】
【００１０】
図１と図２は薄型電池の材料層を例示する。これらの図面は実際の尺度のものではなく、各材料層の厚さは層の実際の厚さを表すことを意図するものではない。薄型電池の全体の厚さは３ｍｍ未満であり、典型的には０.３〜１.０ｍｍ、そしてより典型的には０.６〜０.８ｍｍである。
【００１１】
電池の封止
図１および図２において、第一のカバー層１が最上層として配置され、そして第二のカバー層２が最下層として配置されている。ここでは、例として、第一および第二の材料層１および２は薄型電池の最も外側の層であり、これらの層は、薄型電池の内部を保護するとともに薄型電池を一つの部品として保持するために接着剤層で互いに接合される、ということが想定されている。しかしながら、当然のこととして、層１および層２の上において、アプリケーションウェブのような追加の層を薄型電池に付加してもよい。そのようなアプリケーションウェブは、例えば、ＲＦＩＤ（Radio Frequency Indentifyer：高周波識別）タグまたはその他の電子部品（例えばセンサーやデータロガー）を備えていてもよい。
【００１２】
アノードおよびカソード
アノード材４が、接着剤層３（図２においては示されていない）によって第一のカバー層１に接合されている。第一のセパレーター層５が、アノード材４と電解結合材６の間に配置されている。これらの図において、第二のセパレーター層７が、電解結合材６の下およびカソード材８の上に配置されている。最後に、カソード集電材９が、第二のカバー材料２とカソード材８の間に配置されている。
【００１３】
端子
電池の端子を製造するために、二つの端子孔１０および１１が、第一のカバー層１と接着剤層３に設けられている。第一の孔１０はアノード材４の上に位置していて、この孔は第一の電極として作用する。図２の層４、５および７に示された切除部分１２が存在すること、および層６および８の寸法が小さいこととのために、第二の端子孔１１はカソード集電材９と重なり合うように配置されていて、この孔は第二の電極として作用する。
【００１４】
セパレーターと電解結合材の寸法
図１において、第一のセパレーター層５と第二のセパレーター層７のいずれか一方または両者は、周囲の層およびそれらセパレーター層の間にある電解結合材６よりもわずかに長い（大きい）、すなわち、より大きな表面積を有しているように示されているが、これは、薄型電池のアノード（側面）とカソード（側面）の間の電気接触を効率よく防ぐためである。しかしながら、このことは、各材料層を十分な正確さをもって所定の位置に相互に整列させることができる場合には、全ての態様において必要なことではない。
【００１５】
図３は、薄型電池の製造方法を説明する分解組み立て図を示す。以下においては、アノードの半電池のウェブの製造を最初に説明するが、これは便宜上そうするのであって、カソードの半電池のウェブの製造から開始することもできるし、あるいは両方のウェブを同時に製造することもできる。
【００１６】
第一のセパレーター層５は紙またはポリマーのフィルムから成っていてもよく、例えば、これはロールから巻き出される。
方法の工程Ａにおいて、第一の表面１３（これは図３における上面である）に接着性剥離剤（図示せず）が付与されるが、この剥離剤はワニス、ラッカーまたはシリコン、あるいはこれらの組み合わせとすることができる。この接着性剥離剤を、第一のセパレーター層５の第一の表面１３の上に、例えば印刷、塗布、噴霧またははけ塗りによって適用してもよい。接着性剥離剤は実質的に第一の表面１３の全体を覆うように配置されるが、ただしアノード４のために残しておく領域は除かれる。接着性剥離剤で覆われたセパレーター層５の領域（これは後に廃棄される部分である）は、剥離用ライナーとして機能する。
【００１７】
方法の工程Ｂにおいて、アノード４のために残されていて接着性剥離剤で覆われていない領域において、第一のセパレーター層５の第一の表面１３の前記第一の側面上にアノード材４が付与される。アノード材は、例えばアノードインク（例えば亜鉛粉末、結合剤および炭素を含むもの）から成っていてもよい。アノードインクは、例えば印刷によって塗布される。アノード材４を塗布した後、これを乾燥させる。
【００１８】
方法の工程Ｃにおいて、第一のカバー層１（これはロールから巻き出される連続したウェブであってよい）が使用に供される。この第一のカバー層１の材料は、例えばＰＰ（ポリプロピレン）またはＰＥＴ（ポリエチレンテレフタレート）またはＭＰＥＴ（金属化ポリエチレンテレフタレート）であってよい。その場合、薄型電池の内部は周囲から効率よく密封される。前記ロール上にあるカバー層１に（図３において、その下面に）接着剤層３が付与されてもよい。あるいは、接着剤層３は、第一のカバー層がロールから巻き出された後に付与されてもよい。接着剤層３は、例えばアクリル接着剤またはゴム接着剤からなるものとしてよい。接着剤層３を伴うカバー層１は第一のセパレーター層５に接合され、このとき第一のカバー層１の接着剤がアノード材４に付着し、このアノード材が第一のセパレーター層５に接合される。この段階において、接着性剥離剤とセパレーター層５の後に廃棄される部分（これらは剥離用ライナーを形成している）が存在する領域において、第一のセパレーター層５の第一の表面１３の上にある接着性剥離剤が、接着剤層３が第一のセパレーター層５に強く付着するのを防止する。
【００１９】
工程Ｄにおいて、第一のセパレーター層５の第二の側面１４（これは図３において第一のセパレーター層５の底部側である）の方向から、第一のセパレーター層５に切除部分１５が設けられる。切除部分１５は第一のセパレーター層５を貫通し、そしてこれは第一のセパレーター層５の第一の表面１３の上にある接着性剥離剤も貫通するかもしれないが、しかしそれは接着剤層３に達するほどには深くはない。この切除部分は、一つのアノードのアノード材４を含むアノードの半電池の範囲を定めるように配置される。実際には、切除部分１５はアノード４の外側の境界になるように配置される。
【００２０】
工程Ｅにおいて、第一のセパレーター層５の廃棄される部分を第一のカバー層１（これにアノードの半電池が接合される）が存在する方向とは異なる方向に引っ張ることによって、この廃棄される部分を除去する。接着剤層３が第一のセパレーター層に強く付着するのを防止している接着性剥離剤が存在するために、この除去は容易である。この除去をさらに容易にするために、廃棄される部分を除去する前にウェブを加熱してもよい。実際には、接着性剥離剤（これは剥離用ライナーを形成している）が塗布されている第一のセパレーター層５の実質的に全ての部分（範囲が定められたアノード材４の全ての部分を除く）が、一つの部分として除去される。
【００２１】
工程Ｅが終了すると、アノードの半電池、すなわちアノードを伴うウェブが完成する。このウェブがカソードの半電池を伴うウェブに接合させるために直接用いられる場合は、追加の処置を必要としない。しかし、カソードの半電池を伴うウェブへの接合が直ちに行われない場合であって、そうではなくアノードの半電池を伴うウェブを中間貯蔵するために巻き戻す必要がある場合は、アノードの半電池を伴うウェブを剥離用ライナーと接触させることができる。その場合、剥離用ライナーは、図３における第一のカバー層１の底面上にある接着剤層３を覆うであろう。後でロールから引き出すと、この剥離用ライナーを除去することができ、それによって接着剤層３が露出し、そしてカソードの半電池を伴うウェブへの接合のために用いることができる。
【００２２】
工程Ｆにおいて、カソードを伴うウェブ、すなわちカソードの半電池の製造が開始される。この実施例において、第二のカバー層２が使用に供され、これは例えば、このカバー層をロールから巻き出すことによって行われる。この第二のカバー層２の材料は、例えばＰＰ（ポリプロピレン）またはＰＥＴ（ポリエチレンテレフタレート）とすることができる。その場合、薄型電池の内部は周囲から効率よく密封される。第二のカバー層２の第一の側面１６に、カソードのために用意された領域においてカソード集電材９が付与される。図３において、この第一の側面１６は上向きにされていて、そしてカソードのために用意された領域に図３におけるカソード集電材９が付与されている。カソード集電材９は導電性のインクから成っていてもよく、例えばカーボンインクまたは銀インク、あるいはその他の導電性材料から成り、例えば印刷によって塗布される。
【００２３】
工程Ｇにおいて、前記カソード集電材９の上にカソード材８が配置される。カソード材８の寸法と形状はカソード集電材９と比べると異なっていて、それは図３にも示されている。これは、図１に関連して説明したように、カソード集電材９が薄型電池の第二の電極として作動することができることを確実にするためである。カソード材８は、例えば印刷によって塗布されるカソードペーストから成っていてもよく、そして例えばＭｎＯ２、電解質および添加物を含むものである。また、アノードの製造に関連して説明したように、他のタイプの適用方法も可能である。
【００２４】
工程Ｈにおいて、第二のセパレーター層７が使用に供され、これは例えば、このセパレーター層をロールから引き出すことによって行われる。第二のセパレーター層７は、例えば紙から成っていてもよい。第二のセパレーター層７の第一の側面１７の所定の結合材領域に、電解結合材６が付与される。図３において、この第一の側面１７は上向きにされている。電解結合材６は、例えば塩化亜鉛（ＺｎＣｌ２）、水、結合剤および所望の添加剤を含んでいてもよく、そして結合材６は第二のセパレーター層の上に、例えば印刷によって適用することができる。
【００２５】
工程Ｉにおいて、第二のカバー層２と第二のセパレーター層７が相互に決められた位置に整列され、そして互いに接触するようにされ、それによって、それらの層は、第二のカバー層２の第一の側面１６が第二のセパレーター層７の第二の側面１８に面する位置において、カソード材８を介して互いに接合される。図３において、第二のセパレーター層の第二の側面１８は下向きにされている。この整列によって、カソード材８は電解結合材６の領域と一致する位置に配置されるが、しかし、第二のセパレーター層７の反対側に配置される。
【００２６】
工程Ｊにおいて、第二のセパレーター層７の第一の側面１７からこの第二のセパレーター層を貫いて切除部分が形成される。これらの切除部分は、工程Ｈにおいて電解結合材６を用いて印刷された第二のセパレーター層７の領域の範囲を定めるために形成される。切除部分は第二のセパレーター層７を貫くが、しかし第二のセパレーター層７に達するよりは実質的に深くはない。この点について、「実質的に深くはない」という言い方は、第二のセパレーター層７の厚さよりもわずかに長い切断工具（例えば板状のもの）を用いることができるけれども、この切除部分によっていずれの追加の層も貫かれることはない、ということを明確にすることが意図されている。
【００２７】
工程Ｋにおいて、第二のセパレーター層７の廃棄される部分を第二のカバー層２が存在する方向とは異なる方向に引っ張ることによって、この廃棄される部分を除去する。この切除部分はカソードの範囲、すなわちカソード集電材９、カソード材８、電解結合材６および第二のセパレーター層７の一部を含むカソードの半電池の範囲を定めているので、セパレーター層７の廃棄される部分はもはや、作製されたカソードの半電池には付属していない。この工程が終了すると、カソードウェブは、アノードウェブと接触させる用意ができて、それにより、それらのウェブを相互に所定の位置に整列させる用意ができる。
【００２８】
薄型電池の内部において、カソード半電池の電解結合材６は、アノード半電池の第一のセパレーター層５の第二の側面（表面１４）に接合している。さらに、薄型電池の内部を電池の外側の周囲から密封するために、第一のカバー層１の上の接着剤層３は第二のカバー層２に接合されている。
【００２９】
図４は、アノードを伴うウェブの製造を説明するものである。図４に示される装置は、図３に関連して説明した方法を用いてアノードを製造するために用いることができる。
セパレーター層５はロール１９から巻き出されて、接着性剥離剤印刷装置２０へ送られる。印刷装置２０では、第一のセパレーター層５の第一の表面１３の上に接着性剥離剤が塗布される。接着性剥離剤を完全に乾燥させるために、乾燥器２１が用いられる。接着性剥離剤が幾つか連続する層を用いることもできて、それらの層はそれぞれ連続的に塗布され、乾燥される。
【００３０】
乾燥した後、ウェブは、第一のセパレーター層５の領域にアノード材４を塗布するアノードインク印刷装置２２へ送られるが、それらの領域はアノードのために用意される領域であって、そこには接着性剥離剤は印刷されていない。アノード材４を完全に乾燥させるために、乾燥器２３が用いられる。
【００３１】
この実施例においては、第一のカバー層１に接着剤層３が予め付与されていて、そして第一のカバー層１をウェブとしてロール上に保存しておくことができるように、接着剤層を覆う剥離用ライナー（例えばシリコン紙）が付着されている、ということが想定されている。このウェブはロールから巻き出されて、ホールパンチ２４へ導かれ、このパンチにより第一のカバー層１と接着剤層３に端子孔１０および１１が形成される。この後、案内ロール２５を用いて剥離用ライナーが除去され、そして剥離用ライナーはロール２６、すなわち剥離用ライナー巻戻し器に巻き戻される。
【００３２】
接着剤層３を伴う第一のカバー層１と接着性剥離剤を伴うセパレーター層５は一緒にされ、そして貼り合せ器２７を用いて互いに接合される。貼り合せ器２７は、切除部分でアノードの範囲を定めるためにセパレーター層５に切除部分を形成する切断プレート２９を有するロール２８を含む。ロール２８と切断プレート２９の拡大した正面図を、図４における点線の楕円に示している。この実施例においては、切断プレート２９は概ね矩形を呈しているが、しかし、切断プレートが第一のセパレーター層５を貫通することによってセパレーター層５の所望の形状を形成するために（図２において符号１２によって示されているように）角から除去された部分を有する、ということが想定されている。結果的に行われるのは接触切断（kiss cutting）といえるものであり、この場合、切断プレートはセパレーター層５と接着性剥離剤の中に突き出す。しかし、この接触切断は、第一のセパレーター層５以外のいずれの材料層をも切断することなく成される。
【００３３】
形成された切除部分によってアノードの半電池から制限されたセパレーター層５の廃棄部分４６は、アノードウェブから分離されて、貼り合せ器２７を出てから、スクラップ巻戻し器４５へ送られる。
【００３４】
貼り合せ器２７を出ると、アノードウェブは、薄型電池を形成するためにカソードウェブと共に用いる用意ができる。しかし、アノードウェブを中間貯蔵する必要がある場合は、剥離用ライナー巻出し器３０から新たな剥離用ライナーを巻き出して、これをアノードウェブに接合することによって、そうしなければ露出してしまう接着剤層３を覆うことができる。この後、新たな剥離用ライナーを伴うアノードウェブを、アノード巻戻し器３１に巻き戻すことができる。
【００３５】
図５は、カソードを伴うウェブ、すなわちカソードの半電池を伴うウェブの製造を説明するものである。図５に示される装置は、図３に関連して説明した方法を用いてカソードの半電池を製造するために用いることができ、また、図４に関連して説明した装置を用いて製造されるアノードウェブと共に用いることができる。
【００３６】
第二のカバー層２はロール３２から巻き出され、そして印刷装置３３へ送られる。印刷装置３３では、第二のカバー層２の第一の側面１６の上にカソード集電材９が塗布される。カソード集電材９の乾燥を速めるために乾燥器３４が用いられる。乾燥した後、カソード集電材のウェブはカソード集電材巻戻し器４７の上に巻き戻される。
【００３７】
図６は、アノードとカソード集電材を貼り合せるための工程を示す。すなわち、この図６は薄型電池の製造方法における最終工程を示す。この後、ウェブが搬送するカソード集電材は巻戻し器４７から巻き出され、そしてカソード材８をカソード集電材９の上に印刷によって付与する装置３５へ送られる。
【００３８】
第二のセパレーター層７が第二のセパレーター巻出し器３６から巻き出され、そして電解結合材印刷装置３７へ送られ、ここで第二のセパレーター層７の表面１７に電解結合材６が印刷される。
【００３９】
カソード集電材９とカソード材８を伴う第二のカバー層２および電解結合材６を伴う第二のセパレーター層７は一緒にされ、そして打抜き機３８を用いて互いに接合される。打抜き機３８は、図４に関連して先に説明した切断プレート２９を有する同様のロール２８も含む。従って、接触切断（kiss cutting）といえるものが行われ、このときカソードの範囲を定めるために第二のセパレーター層７に切除部分が設けられる。すなわち、カソードの半電池の範囲が切除部分で定められる。第二のセパレーター層７の廃棄される部分４８はロール３９へ取り出される。これが終わると、カソードウェブはアノードウェブに結合される用意ができる。
【００４０】
この実施例において、アノードウェブはロール３１から巻き出される。次いで、ウェブは案内ロール４０へ送られ、第二の剥離用ライナーが剥離用ライナー巻戻し器４１へ取り出される。アノードウェブが中間貯蔵されるのではなくカソードウェブと同時に製作される場合は、図６における装置のこの部分は当然に必要がない。アノードウェブとカソードウェブは貼り合せ器４３において貼り合わされる。
【００４１】
最後に、図６において、薄い電池を伴う製造されたウェブはバッテリーウェブ巻戻し器４４の上に巻き戻される。このようにして、所望により、例えばウェブから薄型電池を自動的に切り出す装置によってこの薄型電池を連続したウェブとしてさらに処理して、それらの電池を製品に取り付けることを欲する顧客に、薄型電池のロール全体を引き渡すことができる。あるいは、ウェブをロール上に巻き上げる代わりに、（複数の）薄型電池の中間でウェブを切断することによって薄型電池を互いに分離する切断装置を用いることができる。このようにして、単一の、すなわち個々の薄型電池が得られ、さらなる処置に供される。
【００４２】
薄型電池の様々な層において用いられる材料は先行技術から知られているので、以上の説明においては様々な層の材料が例示としてのみ示された。当然に、言及された材料の代わりに、あるいは言及された材料に加えて、薄型電池において用いるのに適した他の材料を用いることができる。
【００４３】
上の説明において、異なるウェブを相互に所定の位置に互いに整列させることを説明した。このような整列は次のものについて行われる：
アノード材４を伴う第一のセパレーター層５と第一のカバー層１、
電解結合材６を伴う第二のセパレーター層７とカソード集電材９を伴う第二のカバー層２とカソード材８、および
アノードウェブとカソードウェブ。
【００４４】
上で説明した全ての整列プロセスにおいて、各々のウェブ上の特定の材料に伴う整列マークまたは領域の位置を監視する自動検出器を用いることができる。そのような自動検出器は、例として図６において符号４２で示されているが、例えば光学検出器または超音波検出器とすることができる。
【００４５】
以上の説明および添付図面は本発明を単に例示する意図のものにすぎないことが理解されるべきである。本発明の範囲から逸脱することなく本発明を変更および修正できるということが、当業者には自明であろう。
【符号の説明】
【００４６】
１  第一のカバー層、  ２  第二のカバー層、  ３  接着剤層、  ４  アノード材、  ５  第一のセパレーター層、  ６  電解結合材、  ７  第二のセパレーター層、  ８  カソード材、  ９  カソード集電材、  １０  第一の端子孔、  １１  第二の端子孔、  １２  切除部分、  １３  第一の側面、  １４  第二の側面、  １５  切除部分、  １６  第一の側面、  １７  第一の側面、  １８  第二の側面、  １９  ロール、  ２０  接着性剥離剤印刷装置、  ２１  乾燥器、  ２２  アノードインク印刷装置、  ２３  乾燥器、  ２４  ホールパンチ、  ２５  案内ロール、  ２６  ロール（剥離用ライナー巻戻し器）、  ２７  貼り合せ器、  ２８  ロール、  ２９  切断プレート、  ３０  剥離用ライナー巻出し器、  ３１  アノード巻戻し器、  ３２  ロール、  ３３  印刷装置、  ３４  乾燥器、  ３５  カソード材印刷装置、  ３６  第二のセパレーター巻出し器、  ３７  電解結合材印刷装置、  ３８  打抜き機、  ３９  ロール、  ４０  案内ロール、  ４１  剥離用ライナー巻戻し器、  ４２  自動検出器、  ４３  貼り合せ器、  ４４  バッテリーウェブ巻戻し器、  ４５  スクラップ巻戻し器、  ４６  廃棄部分、  ４７  カソード集電材巻戻し器、  ４８  廃棄部分。
【図１】
2012531023.tif 000003
【図２】
2012531023.tif 000004
【図３】
2012531023.tif 000005
【図４】
2012531023.tif 000006
【図５】
2012531023.tif 000007
【図６】
2012531023.tif 000008
【国際調査報告】
2012531023.tif 000009
2012531023.tif 000010
2012531023.tif 000011